【事件の表示】
　特許第２８４２４５８号「表示装置」の請求項１ないし３に係る発明の特許に対する特許異議の申立てについて、次のとおり決定する。
【結　論】
　訂正を認める。
　特許第２８４２４５８号の請求項１ないし３に係る特許を維持する。
【理　由】
１．手続の経緯
　特許第２８４２４５８号の発明は、平成３年８月３０日に特許出願され、平成１０年１０月２３日にその特許の設定の登録がなされ、その後、佐藤光男により特許異議の申立がなされ、取消理由通知がなされ、その指定期間内である平成１２年２月１５日に訂正請求がなされたものである。
２．訂正の適否に対する判断
（2.1）訂正事項
（2.1.1）訂正事項ａ
  　特許明細書の特許請求の範囲の請求項１を次のように訂正する。
「【請求項１】それぞれ複数の画素を有する複数の表示パネル（１０）が隣接して配置され、大画面を構成する表示装置であって、
　該表示パネル上に配置され且つ光ファイバ（１１）を並べて板状に形成したファイバーオプティックプレート（１２）と、該ファイバーオプティックプレート上に配置されたプリズム（１４）とを備え、
　該光ファイバ（１１）が該ファイバーオプティックプレートの表面に対して傾斜して配列されてなる表示装置。」
（2.1.2）訂正事項ｂ
  　特許明細書の特許請求の範囲の請求項２を次のように訂正する。
「【請求項２】前記プリズム（１４）が前記表示パネルの表面とほぼ平行な表面と該光ファイバの軸線に対してほぼ垂直な表面とを有する請求項１に記載の表示装置。」
（2.1.3）訂正事項ｃ〜ｅ
　訂正事項ｃ〜ｅは、特許明細書の発明の詳細な説明の【課題を解決するための手段】、【作用】、【発明の効果】に関する記載を、訂正請求書３頁９行〜５頁９行に記載されたとおりに訂正するものである。
（2.2）訂正の目的の適否、新規事項の有無及び拡張・変更の存否
  上記訂正事項ａは、特許請求の範囲の請求項１の構成に請求項２の構成の一部を取り込み、さらに表示装置を具体的に限定するものであり、特許請求の範囲の減縮に該当する。
　また、上記訂正事項ｂは、請求項１の訂正に伴って、請求項２の記載を訂正するもので、明瞭でない記載の釈明に該当する。
  同じく、訂正事項ｃ〜ｅは、前記特許請求の範囲の訂正に伴って、発明の詳細な説明の【課題を解決するための手段】、【作用】、【発明の効果】を訂正するものであり、明りょうでない記載の釈明に該当する。
  そして、上記訂正事項ａ〜ｅは、実質的に特許請求の範囲を拡張しまたは変更するものではなく、願書に添付した明細書に記載された事項の範囲内のもので、新規事項の追加に該当しない
（2.3）独立特許要件の判断
　平成１１年１２月１６日付け取消理由は、請求項１の記載内容の技術的意義が明瞭でないから、本件発明の特許は、特許法第３６条第５項第２号に違反してなされたものであるというにある。
　しかし、この点は、上記訂正請求によって解消された。
　したがって、本件発明は特許出願の際独立して特許を受けることができるものである。
（2.4）訂正の適否に対するむすび
　以上のとおりであるから、上記訂正は、特許法の一部を改正する法律（平成６年法律第１１６号）附則第６条第１項の規定によりなお従前の例によるとされる、平成６年改正前の同法第１２６条第１ないし３項の規定に適合するので、当該訂正を認める。
３．特許異議の申立てについて
（3.1）本件発明
　訂正明細書の請求項１〜３に係る発明は、訂正明細書の特許請求の範囲の請求項１〜３に記載された事項により特定されるとおりのものである。
【請求項３】前記ファイバーオプティックプレート（１２）の一方の表面側に前記プリズム（１４）が設けられるとともに、該ファイバーオプティックプレート（１２）と前記表示パネル（１０）との間にもう１つのプリズム（１６）が設けられる請求項１に記載の表示装置。
（なお、請求項１及び２は、上記訂正事項ａ，ｂ参照。）
（3.2）甲各号証記載の発明
　異議申立人佐藤光男が提出した甲第１号証〜甲第３号証には、各々次の事項が記載されている。
　甲第１号証：特開平２−３３１８６号公報には、
「バックライト（光源）の前面に液晶パネル駆動用のドライバ７を有した液晶パネル１を多数配置し、各液晶パネル前面に等倍ファイバープレート２を配置する。このファイバープレート前面を隣接し、その前面にスクリーン８を配置する。このように複数の液晶パネル前面にそれぞれファイバープレートを配置し、かつ各ファイバープレート前面を隣接することで液晶パネル間のすきまが目立たなく、画像の連続性が損なわれることのない大型液晶表示装置が得られる。」（２頁右上欄２〜１２行）と記載されている。又第１図には、ファイバプレートのファイバがその表面に対して傾斜して配列されたものが図示されている。
  上記によれば、甲第１号証には、液晶パネル間のすきまが目立たなく、画像の連続性が損なわれることのない大型液晶表示装置を得ることを目的とし、「多数の液晶パネルが配置された大型液晶表示装置であって、該液晶パネル上に配置されたファイバープレートと、該ファイバープレートのファイバがその表面に対して傾斜して配列され、その前面にスクリーンを配置した大型液晶表示装置。」の発明が記載されている。
  同じく、甲第２号証：特開昭５２−７３０３１号公報には、
「透明のプラスチックス板からなり、両面に屈折方向を互いに直角方向とし、・・・細幅の三角断面をもつ条体を連続的に形成し、スクリーンに投影された映写光を垂直及び水平方向に屈折して、目標点又は目標のサービスエリアに集中できるようにした透過型スクリーン。」（特許請求の範囲（１））、「両面に断面三角のプリズムを１面に形成している。」（５頁左上欄２〜３行）、「第５図、第６図は幅８ｍの直線道路においては、４ｍ幅の片車線上にのみから標識が見えればよいもので、・・・道路上・・・標識がある場合の指向特性についてのものである。・・・夜間は無論のこと、昼間も明視できるものについてのものである。」（５頁右上欄５行〜左下欄３行）と記載されている。
  同じく、甲第３号証：特開平２−８４６１８号公報には、使用者が見る方向に集中光が得られる液晶表示装置の背面照明手段用面光源素子に関し、「導光体の少なくとも一つの面に・・・梨地面６０を配した第１のエレメント５０・・・からの出射光を入射させ、かつ所定の方向に光を出射させるプリズム単位４０を配した入射面と該プリズム単位４０からの光を出射せしめる出射面３２とを備えた第２のエレメント５１とから構成されている。」（４頁左上欄６〜１２行）と記載されている。
（3.3）対比・判断
　訂正された本件の請求項１に係る発明（以下、「本件発明１」という。）と甲第１号証記載の発明とを対比する。
  甲第１号証記載の発明の「液晶パネル」、「ファイバ」、「ファイバープレート」及び「大型液晶表示装置」は、本件発明１の「表示パネル」、「光ファイバ」、「ファイバーオプティックプレート」及び「大画面を構成する表示装置」に相当し、甲第１号証の液晶パネルが複数の画素を有することは自明の事項であるから、両者は「それぞれ複数の画素を有する複数の表示パネルが配置され、大画面を構成する表示装置であって、該表示パネル上に配置され且つ光ファイバを並べて板状に形成したファイバーオプティックプレートを備え、該光ファイバが該ファイバーオプティックプレートの表面に対して傾斜して配列されてなる表示装置。」で一致し、少なくとも下記の点で相違する。
　相違点；本件発明１は、ファイバがその表面に対して傾斜して配列されたファイバーオプティックプレート上に配置されたプリズムを備えるのに対し、甲第１号証記載の発明は、この構成を有しない点。
　上記相違点について検討する。
　先ず、本件明細書には、「光ファイバ１１からの出射光は表示パネル１０の表面に対して斜めに出て、プリズム１４に入る。その光はプリズム１４で進行方向を変えられ、最後に表示パネル１０の表面に対して垂直な方向に進むことができるようになる。従って、この光を見る観視者は、その光が表示パネル１０のＢ点から来たように認識する。従って、もし、このＢ点が表示パネル１０の位置では非表示領域であっても、観視者には表示領域がずれて認識される。」（【作用】参照）、「なお、例えばプリズム１４がないと、・・・光ファイバ１１からの出射光の中心はほぼ光ファイバ１１の軸線方向となり、正面に位置する観視者は、その光を実質的に見ることができない。」（訂正明細書第４頁１６〜１９行）と記載されている。
　上記によれば、本件発明は、非表示領域を埋めて表示画面が不連続に見えないようにするために、光ファイバをファイバーオプティックプレートの表面に対して傾斜して配列させたものにおいて、光ファイバからの出射光が表示パネルの表面に対して斜めに出ることによる不都合を解決しようとするもの（以下、「本件課題」という。）であると認められる。
  これに対し、甲第２号証には、「スクリーンに投影された映写光を垂直及び水平方向に屈折して、目標点又は目標のサービスエリアに集中できるように、両面に断面三角のプリズムを形成した透過型スクリーン」が記載され、甲第３号証には、「使用者が見る方向に集中光が得られるように導光体の少なくとも一つの面にプリズムを備えた液晶表示装置の背面照明手段用面光源素子」が記載されているところから、プリズムにより表示面の光を所定の方向に集中させることは公知の技術と認められる。しかし、甲第２号証及び甲第３号証記載のものは、上記本件課題を有するものではないし、本件発明１の上記相違点の構成を備えてもいない。したがって、甲第１号証に甲第２号証及び甲第３号証を組み合わせることは容易とはいえない。
  しかも、本件発明１は、上記相違点の構成を備えることにより、本件明細書に記載された格別の効果を奏するものである。
　したがって、本件発明１は、甲第１号証〜甲第３号証に記載された発明に基づいて当業者が容易に発明をすることができたものであるということはできない。
　又、本件の請求項２及び３に係る発明は、本件発明１を引用し、その構成の一部をさらに具体的に限定したものであるから、本件発明１について述べたと同様の理由により、甲第１号証〜甲第３号証に記載された発明に基づいて当業者が容易に発明をすることができたものであるということはできない。
４．むすび
　したがって、特許異議の申立の理由及び証拠によっては、本件の請求項１〜３に係る発明の特許を取り消すことはできない。
　
　よって、結論のとおり決定する。
【異議決定日】
平成１２年３月６日（２０００．３．６）
【訂正の要旨】
訂正の要旨
▲１▼　訂正事項ａ
　　特許請求の範囲の、
「　　【請求項１】　複数の画素を有する表示パネル（１０）と、該表示パネル上に配置され且つ光ファイバ（１１）を並べて板状に形成したファイバーオプティックプレート（１２）と、該ファイバーオプティックプレート上に配置されたプリズム（１４）とを備えた表示装置。」
を、特許請求の範囲の減縮を目的として、
「　　【請求項１】　
それぞれ
複数の
が隣接して配置され、大画面を構成する表示装置であって、
　該表示パネル上に配置され且つ光ファイバ（１１）を並べて板状に形成したファイバーオプティックプレート（１２）と、該ファイバーオプティックプレート上に配置されたプリズム（１４）とを備え
、
　
該光ファイバ（１１）が該ファイバーオプティックプレートの表面に対して傾斜して配列されてなる
と訂正する。
▲２▼　訂正事項ｂ
　　特許請求の範囲の、
「　　【請求項２】　前記ファイバーオプティックプレート（１２）の光ファイバ（１１）が該ファイバーオプティックプレートの表面に対して傾斜して配列され、前記プリズム（１４）が前記表示パネルの表面とほぼ平行な表面と該光ファイバの軸線に対してほぼ垂直な表面とを有する請求項１に記載の表示装置。」
を、明瞭でない記載の釈明を目的として、
「　　【請求項２】　
前記プリズム（１４）が
と訂正する。
▲３▼　訂正事項ｃ
　　段落番号【０００５】の、
「　　【課題を解決するための手段】
　本発明による表示装置は、図１に示されるように、複数の画素を有する表示パネル１０と、該表示パネル上に配置され且つ光ファイバを並べて板状に形成したファイバーオプティックプレート１２と、該ファイバーオプティックプレート上に配置されたプリズム１４とを備えたことを特徴とする。」
を、特許請求の範囲の記載と発明の詳細な説明の記載との整合を図るため、明瞭でない記載の釈明を目的として、
「　　【課題を解決するための手段】
　本発明による表示装置は、それぞれ複数の画素を有する複数の表示パネル１０が隣接して配置され、大画面を構成する表示装置であって、該表示パネル上に配置され且つ光ファイバ１１を並べて板状に形成したファイバーオプティックプレート１２と、該ファイバーオプティックプレート上に配置されたプリズム１４とを備え、該光ファイバ１１が該ファイバーオプティックプレートの表面に対して傾斜して配列されてなることを特徴とする。」
と訂正する。
▲４▼　訂正事項ｄ
　　段落番号【０００６】の
「　　【作用】
　上記した表示装置では、表示パネル１０のある画素Ａを透過した光は光ファイバ１１に入る。光ファイバ１１がファイバーオプティックプレート１２の表面に対して傾斜して配列されている場合を例にすると、光ファイバ１１からの出射光は表示パネル１０の表面に対して斜めに出て、プリズム１４に入る。その光はプリズム１４で進行方向を変えられ、最後に表示パネル１０の表面に対して垂直な方向に進むことができるようになる。従って、この光を見る観視者は、その光が表示パネル１０のＢ点から来たように認識する。従って、もし、このＢ点が表示パネル１０の位置では非表示領域であっても、観視者には表示領域がずれて認識される。」
を、特許請求の範囲の記載と発明の詳細な説明の記載との整合を図るため、明瞭でない記載の釈明を目的として、
「　　【作用】
　上記した表示装置では、表示パネル１０のある画素Ａを透過した光は光ファイバ１１に入る。光ファイバ１１からの出射光は表示パネル１０の表面に対して斜めに出て、プリズム１４に入る。その光はプリズム１４で進行方向を変えられ、最後に表示パネル１０の表面に対して垂直な方向に進むことができるようになる。従って、この光を見る観視者は、その光が表示パネル１０のＢ点から来たように認識する。従って、もし、このＢ点が表示パネル１０の位置では非表示領域であっても、観視者には表示領域がずれて認識される。」
と訂正する。
▲５▼　訂正事項ｅ
　　段落番号【００１７】の
「　　【発明の効果】
　以上説明したように、本発明による表示装置は、複数の画素を有する表示パネルと、該表示パネル上に配置され且つ光ファイバを並べて板状に形成したファイバーオプティックプレートと、該ファイバーオプティックプレート上に配置されたプリズムとを備えた構成であるので、連続的な表示画面を形成することができる。」
を、特許請求の範囲の記載と発明の詳細な説明の記載との整合を図るため、明瞭でない記載の釈明を目的として、
「　　【発明の効果】
　以上説明したように、本発明による表示装置は、それぞれ複数の画素を有する複数の表示パネルが隣接して配置され、大画面を構成する表示装置であって、該表示パネル上に配置され且つ光ファイバを並べて板状に形成したファイバーオプティックプレートと、該ファイバーオプティックプレート上に配置されたプリズムとを備え、該光ファイバが該ファイバーオプティックプレートの表面に対して傾斜して配列されてなる構成であるので、連続的な表示画面を形成することができる。」
と訂正する。
（５４）【発明の名称】
表示装置
（５７）【特許請求の範囲】
　　【請求項１】　
それぞれ
複数の
が隣接して配置され　大画面を構成する表示装置であって、
、
　
該光ファイバ（１１）が該ファイバーオプティックプレートの表面に対して傾斜して配列されてなる
　　【請求項２】　
前記プリズム（１４）が
　　【請求項３】　前記ファイバーオプティックプレート（１２）の一方の表面側に前記プリズム（１４）が設けられるとともに、該ファイバーオプティックプレート（１２）と前記表示パネル（１０）との間にもう１つのプリズム（１６）が設けられる請求項１に記載の表示装置。
【発明の詳細な説明】
　　【産業上の利用分野】
　本発明は例えば液晶パネル等の表示パネルとともに使用可能な表示装置に関する。
　近年、液晶パネルを用いたマトリクス表示装置が製品化され、表示用端末として利用されている。これらの表示装置に対しては、画面サイズの拡大と表示容量の拡大が要求されている。
　　【従来の技術】
　液晶パネルの一例が図４及び図５に示されている。液晶パネル１０は一対の透明基板１，２の間に液晶（図示せず）を封入してなるものであり、これらの透明基板１，２にはマトリクス状の電極が設けられる。すなわち、一方の透明基板１には複数の行電極３が設けられ、もう一方の透明基板２には複数の列電極４が設けられる。行電極３と列電極４の交差部に画素が形成される。行電極３及び列電極４はそれぞれの透明基板１，２のほぼ端から端まで延び、各端部において、行電極３は行ドライバ５に、列電極４は列ドライバ６にそれぞれ接続される。行ドライバ５及び列ドライバ６からそれぞれ行電極３及び列電極４に印加される信号波形は、電極の抵抗と液晶の容量のために液晶パネル内でなまりが生じる。表示パネル１０が大きくなるに従い、信号波形のなまりは大きくなり、所望の信号を印加することができなくなる。また、表示容量が大きくなった場合には信号の周波数が高くなるため、波形のなまりの影響が大きくなる。
　　【発明が解決しようとする課題】
　このため、液晶パネル１０の両側にそれぞれ行ドライバ５及び列ドライバ６を配置し、各行電極３及び列電極４に両側から信号電圧を印加することにより上記信号波形のなまりを抑えていた。しかし、表示画面を大きくする場合、前記の方法では不十分であり例えば２個の表示パネル１０を並べて配置して大画面を実現する必要がある。この時、これらの２個の表示パネル１０の間に行ドライバ５又は列バライバ６が入り込み、この部分は非表示領域となり、表示画面が不連続となる。従って、行ドライバ５又は列ドライバ６等により非表示領域が生じるような場合に、そのような非表示領域を埋めて表示画面が不連続に見えないようにすることが求められる。
　本発明の目的は、非表示領域を埋めて表示画面が不連続に見えないようにすることのできる表示装置を提供することである。
　　【課題を解決するための手段】
　本発明による表示装置は、それぞれ複数の画素を有する複数の表示パネル１０が隣接して配置され、大画面を構成する表示装置であって、該表示パネル上に配置され且つ光ファイバ１１を並べて板状に形成したファイバーオプティックプレート１２と、該ファイバーオプティックプレート上に配置されたプリズム１４とを備え、該光ファイバ１１が該ファイバーオプティックプレートの表面に対して傾斜して配列されてなることを特徴とする。
　　【作用】
　上記した表示装置では、表示パネル１０のある画素Ａを透過した光は光ファイバ１１に入る。光ファイバ１１からの出射光は表示パネル１０の表面に対して斜めに出て、プリズム１４に入る。その光はプリズム１４で進行方向を変えられ、最後に表示パネル１０の表面に対して垂直な方向に進むことができるようになる。従って、この光を見る観視者は、その光が表示パネル１０のＢ点から来たように認識する。従って、もし、このＢ点が表示パネル１０の位置では非表示領域であっても、観視者には表示領域がずれて認識される。
　　【実施例】
　図２は本発明の第１実施例の表示装置２０を示している。表示装置２０は２個の液晶パネル１０を含み、液晶パネル１０は図４及び図４に示されるような一対の透明基板１，２の間に液晶（図示せず）を封入してなるものである。これらの透明基板１，２には上記したようなマトリクス状の行電極３及び列電極４が設けられ、行電極３と列電極４の交差部に画素が形成される。さらに、行電極３及び列電極４はそれぞれの透明基板１，２のほぼ端から端まで延び、各端部において、行電極３は行ドライバ５に、列電極４は列ドライバ６にそれぞれ接続されている。図２では、２個の液晶パネル１０が隣接して配置され、中央に位置する行ドライバ５の部分が非表示領域になる。また、各液晶パネル１０の表裏面には偏光板７，８が配置され、さらに各液晶パネル１０の裏側にはバックライト装置９が設けられている。
　図１及び図２に示されるように、ファイバーオプティックプレート１２は、各液晶パネル１０上に配置され且つ光ファイバ１１を並べて板状に形成したものである。このようなファイバーオプティックプレート１２はすでに公知であり、微小な直径を有する多数の光ファイバ１１が全体的に平行に規則正しく密接して配列している。あるファイバーオプティックプレート１２では、光ファイバ１１はファイバーオプティックプレート１２の表面に対して垂直に配列している。また別のファイバーオプティックプレート１２では、光ファイバ１１はファイバーオプティックプレート１２の表面に対して傾斜して配列している。図２の実施例では、後者のファイバーオプティックプレート１２を使用している。しかし、ファイバーオプティックプレート１２及び液晶パネル１０をＶ字形に傾斜して配置する等の手段を採用すれば、前者のファイバーオプティックプレート１２を使用することもできる。実施例では、光ファイバ１１の傾斜角度は４５度であり、ファイバーオプティックプレート１２の厚さは表示領域の端部から行ドライバ５の端部までの距離に相当する。
　図２では、２個のファイバーオプティックプレート１２は、光ファイバ１１の傾斜方向が向き合うように各液晶パネル１０上に配置される。従って、各ファイバーオプティックプレート１２の裏面は関連する液晶パネル１０の表示領域を覆い、且つ２個の液晶パネル１０の間の非表示領域を開口している。ただし、実際の表示領域は液晶パネル１０内の液晶のある部分である。また、各ファイバーオプティックプレート１２の表面は相互に当接し、連続的な表示画面を形成するのに適するようにされる。
　プリズム１４は、微小な単位プリズムを一体的に作りこんだプリズムアレイとしてフレネルレンズと同様の方法で形成される。各単位プリズムは、一定の方向に長く延びる一次元の構成であり、液晶パネル１０の表面とほぼ平行な表面と光ファイバ１１の軸線に対してほぼ垂直な表面とを有する。従って、図２では、各プリズム１４の傾斜面は各ファイバーオプティックプレート１２の光ファイバ１１の傾斜とほぼ垂直になるように配置されている。
　従って、図１を参照すると、表示パネル１０のある画素Ａを透過した光は光ファイバ１１に入り、光ファイバ１１内で全反射を繰り返しながら光ファイバ１１から出射し、この出射光の中心はほぼ光ファイバ１１の軸線の方向となる。光ファイバ１１からの出射光はプリズム１４に入り、プリズム１４で屈折により進行方向を変えられ、最後に表示パネル１０の表面に対して垂直な方向に進むことができるようになる。従って、この光を見る観視者は、その光が液晶パネル１０のＢ点から来たように認識する。従って、もし、このＢ点が液晶パネル１０の位置では非表示領域であっても、観視者はそのような非表示領域を感じることなく、２個の液晶パネル１０を連続的な１つの表示画面と感じる。
　なお、例えばプリズム１４がないと、図１においてＣ点から出た光として示されているように、光ファイバ１１からの出射光の中心はほぼ光ファイバ１１の軸線の方向となり、正面に位置する観視者は、その光を実質的に見ることができない。
　図３は本発明の第２実施例の表示装置３０を示している。表示装置３０は第１実施例と同様に２個の隣接して配置された液晶パネル１０を含み、中央に位置する行ドライバ５の部分が非表示領域になる。偏光板７，８やバックライト装置９も設けられている。さらに、２個のファイバーオプティックプレート１２が光ファイバ１１の傾斜方向が向き合うように各液晶パネル１０上に配置され、さらに、プリズムアレイとして形成されたプリズム１４がファイバーオプティックプレート１２の一方の表面側に配置される。
　図３においては、ファイバーオプティックプレート１２と液晶パネル１０との間にそれぞれもう１つのプリズム１６が設けられる。このプリズム１６もプリズム１４と同様にプリズムアレイとして形成されたものである。このプリズム１６はプリズム１４と同様の傾斜面を有するが、この傾斜面が液晶パネル１０側に位置するように配置されている。
　図１においては、液晶パネル１０の画素点ＡやＣを透過してファィバーオプティックプレート１２の光ファイバ１１に入射する光は、いずれも液晶パネル１０の表面に対して傾斜した角度で示されている。これは、光ファイバ１１がファイバーオプティックプレート１２の表面に対して傾斜して配列されている場合に、光ファイバ１１に入射して、全反射しつつ伝播できる光が、そのような入射角度の光に限られることを示している。例えば液晶パネル１０の表面に対して垂直な角度で光ファイバ１１に入射する光は、光ファイバ１１内で全反射せず、従って光ファイバ１１内を伝播しない。このように、傾斜した光ファイバ１１の場合には、利用できる入射光が制限されるので、表示画面は比較的に暗くなる。
　図３の実施例においては、液晶パネル１０の表面に対して垂直な角度で液晶パネル１０を透過する光は、プリズム１６の傾斜面に入射し、それぞれの光ファイバ１１の傾斜方向に進行方向を変えてプリズム１６から出射し、それから光ファイバ１１に入射し、光ファイバ１１内を全反射しつつ伝播する。従って、この実施例によれば、液晶パネル１０から垂直方向に出射する最も強い光の成分を利用することができるので、表示画面を比較的に明るくすることができる。なお、この実施例で、連続的な表示画面を形成できるのは、前の実施例と同様である。
　　【発明の効果】
　以上説明したように、本発明による表示装置は、それぞれ複数の画素を有する複数の表示パネル１０が隣接して配置され、大画面を構成する表示装置であって、該表示パネル上に配置され且つ光ファイバ１１を並べて板状に形成したファイバーオプティックプレート１２と、該ファイバーオプティックプレート上に配置されたプリズム１４とを備え、該光ファイバ１１が該ファイバーオプティックプレートの表面に対して傾斜して配列されてなる構成であるので、連続的な表示画面を形成することができる。
【図面の簡単な説明】
　　【図１】
　本発明の原理説明図で、（Ａ）は表示装置を示す側面図、（Ｂ）は光の進路を説明する図である。
　　【図２】
　本発明の第１実施例を示す図である。
　　【図３】
　本発明の第３実施例を示す図である。
　　【図４】
　液晶パネルを示す斜視図である。
　　【図５】
　液晶パネルを示す平面図である。
　　【符号の説明】
１０…液晶パネル
１１…光ファイバ
１２…ファイバーオプティックプレート
１４…プリズム
１６…プリズム